(57)【特許請求の範囲】
【請求項１】
作動油を収納するタンク２１と、
前記タンク２１に配置された油圧ポンプ２４及び電動機２３よりなる電動機ユニット３２と、
を備えたポンプユニッット２０において、
前記電動機２３の脚部２５に形成した長穴溝２６に係合される二面幅２７ａを有する弾性体ブッシュ２７と、
円形凹部２８ａが前記弾性体ブッシュ２７の外周面に嵌挿され前記タンク２１の上板２２の上面と前記電動機２３の脚部２５の下面との間に配設された防振部材２８と、
を有し、前記タンク２１の上板２２の孔部２２ａに嵌挿したボルト２９に前記防振部材２８を嵌挿し、該防振部材２８を前記弾性体ブッシュ２７に嵌着した後に、前記ボルト２９に座金３０を挿通し該ボルト２９をナット３１に螺着して前記上板２２及び前記脚部２５間に前記防振部材２８を挟持した固定することにより、前記タンク２１と前記電動機ユニット３２が一体に締結されることを特徴とするポンプユニット。
【発明の詳細な説明】
【技術分野】
【０００１】
本発明はポンプユニットに関し、さらに詳細にはポンプ及び電動機をタンクに容易に着脱することができるポンプユニットの改良に関する。
【背景技術】
【０００２】
従来、この種のポンプユニットは、作動油を収納する油圧タンクに取り付けられた電動機と、該電動機に直結して取り付けられる油圧ポンプとを備え、該油圧ポンプには作動油を油圧タンクより吸入、排出するための機器及び油圧管路が設けられている。
前記ポンプユニットは、油圧ポンプ４と、該油圧ポンプ４を駆動する電動機５とを組み付けたモータ基板３を油タンク１の上板２上に配置し、かつ油圧ポンプ４と電動機５とを吸振ゴム部材６ａ、６ｂ上に載置し、ボルト７をモータ基板３から吸振ゴム部材６ａ、６ｂに挿通して油タンク１の上板２に締め込んで油圧ポンプ４及び電動機５の防振支持構造になっている（例えば、特許文献１参照）。
【特許文献１】実公昭５５−１６２２３号公報
【発明の開示】
【発明が解決しようとする課題】
【０００３】
しかしながら、特許文献１に記載されているポンプユニットは、モータ基板をボルトで締結する際、油タンクの上板の下面に例えば円形状の部材を溶接等により固着し、該円形状部材に雌ねじを設けているので、加工コストが上昇するという不具合がある。
【０００４】
本発明は、前記の課題を解決するためになされたもので、タンクの上板に部材を溶接することなく油圧ポンプ及び電動機を防振部材を介して取り付けることにより加工コストを低減することが可能なポンプユニットを提供することを目的とする。
【課題を解決するための手段】
【０００５】
上記の課題を達成するために請求項１記載の発明は、作動油を収納するタンク２１と、
前記タンク２１に配置された油圧ポンプ２４及び電動機２３よりなる電動機ユニット３２と、
を備えたポンプユニッット２０において、
前記電動機２３の脚部２５に形成した長穴溝２６に係合される二面幅２７ａを有する弾性体ブッシュ２７と、
円形凹部２８ａが前記弾性体ブッシュ２７の外周面に嵌挿され前記タンク２１の上板２２の上面と前記電動機２３の脚部２５の下面との間に配設される防振部材２８と、
を有し、前記タンク２１の上板２２の孔部２２ａに嵌挿したボルト２９に前記防振部材２８を嵌挿し、該防振部材２８を前記弾性体ブッシュ２７に嵌着した後に、前記ボルト２９に座金３０を挿通し該ボルト２９をナット３１に螺着して前記上板２２及び前記脚部２５間に前記防振部材２８を挟持した固定することにより、前記タンク２１と前記電動機ユニット３２が一体に締結されることを特徴とするポンプユニット。
【発明の効果】
【０００６】
本発明は、電動機を防振部材を介してタンクに取り付けることが可能なのでポンプユニットを取り付ける取付板が不要になり、かつフレームにねじ機構を形成するための部材を溶接等により該フレームに固着してねじ機構を形成する必要がないので、加工コストを容易に低減することができ、部品点数を減らすことができる。
さらに、電動機の脚部に弾性体ブッシュを嵌挿することにより、該脚部と固定手段との金属係合を回避することができ防振効果を高めることができるのでよい。また、防振部材がパッキンの機能を有するのでタンクの上板に設けた固定手段の貫通穴からの異物や汚染油の該タンク内への侵入を防止できる。
また、電動機の脚部に弾性体ブッシュを嵌挿した際、該弾性体ブッシュが脚部から外れることがなく、さらに、固定手段であるボルトを防振部材に嵌挿した際、該ボルトが防振部材により軽く締め付けられるので落下せずタンクと電動機ユニットとの一体にする組立が容易になる。
【発明を実施するための最良の形態】
【０００７】
本発明の実施の形態に係るポンプユニットについて図面により詳細に説明する。図１は、本発明の実施の形態に係るポンプユニット２０の概略構造を示す正面図、図２は図１の側面図を示す。図１及び図２おいて、ポンプユニット２０は基本的には作動油（図示しない）を収納するタンク２１と、前記タンク２１の上板２２に載置されポンプユニット２０を形成する電動機２３と、前記電動機２３に一体に取り付けられた油圧ポンプ２４と、から形成する電動機ユニット３２を有する。図３及び図４に示されるように、前記電動機２３には、その脚部２５の長穴溝２６に弾性体ブッシュ２７の二面幅２７ａが装着され、脚部２５と弾性体ブッシュ２７は一体になっている。前記弾性体ブッシュ２７の外周面は上板２２の上面と脚部２５の下面との間に配置された防振部材２８の円形凹部２８ａ
に嵌挿されている。
【０００８】
前記上板２２の孔部２２ａに遊挿されたボルト（固定手段）２９に防振部材２８、弾性体ブッシュ２７及び脚部２５が順次挿入され座金（固定手段）３０、ナット（固定手段）３１により、上板２２と脚部２５が一体に締結される。
この場合、脚部２５の長穴溝２６に弾性体ブッシュ２７の二面幅２７ａを嵌挿する際、弾性体ブッシュ２７を変形することにより嵌挿が可能である。さらに、弾性体ブッシュ２７の二面幅２７ａが脚部２５の長穴溝２６に嵌挿されているので、電動機２３の脚部２５とボルト２９との金属係合が回避されるので、防振効果を向上させることができる。
さらに、防振部材２８がパッキンの機能を有するのでタンク２１の上板２２に設けたボルト２９の孔部２２ａからの異物や汚染油の該タンク２１内への侵入を防止できる。
また、電動機２３の脚部２５に弾性体ブッシュ２７を嵌挿した際、該弾性体ブッシュ２７が脚部２５から外れることがなく、さらに、固定手段であるボルト２９を防振部材２８に嵌挿した際、該ボルト２９が防振部材２８により軽く締め付けられるので落下せずタンク２１と電動機ユニット３２とを一体にする組立が容易になる。
本実施の形態に係るポンプユニット２０において、ボルト２９はタンク２１の上板２２の孔部２２ａに遊挿されているが、該孔部２２ａにボルト２９を螺着するねじ（図示しない）を形成し、該ボルト２９に防振部材２８、弾性体ブッシュ２７及び脚部２５を順次挿入してもよい。
【図面の簡単な説明】
【０００９】
【図１】本発明の実施の形態に係るポンプユニットの正面外形図である。
【図２】図１のポンプの側面図である。
【図３】図１の上板と脚部とを締結状態を示す詳細断面図である。
【図４】図３の分解斜視図である。
【符号の説明】
【００１０】
２０  ポンプユニット
２１  タンク
２２  上板
２２ａ  孔部
２３  電動機
２４  油圧ポンプ
２５  脚部
２６  長穴溝
２７  弾性体ブッシュ
２７ａ  二面幅
２８  防振部材
２８ａ  円形凹部
２９  ボルト（固定手段）
３０  座金  （固定手段）
３１  ナット（固定手段）
３２  電動機ユニット

【図１】
0004462430.tif 000002
【図２】
0004462430.tif 000003
【図３】
0004462430.tif 000004
【図４】
0004462430.tif 000005